(57)【特許請求の範囲】
【請求項１】
巻芯を有さないロール紙を梱包するための構造であって、
ロール紙を収納するための外箱と、
ロール紙の外径と合致するような内径を有する凹部が形成され、前記外箱内に嵌合するような外形を有する下部保持部材及び上部保持部材と、を備え、
前記下部保持部材は、前記凹部を上方に向けて前記外箱内に設置されており、
前記上部保持部材は、前記凹部を下方に向けて、前記下部保持部材の上方において前記外箱内に設置されており、
前記下部保持部材及び上部保持部材の少なくとも一方は、前記凹部と前記外箱の内壁面との間に空間部が形成されるような外形を有する、ロール紙の梱包構造。
【請求項２】
前記下部保持部材及び上部受け部材の少なくとも一方は、
前記外箱内に嵌合するように形成された板状の基台部と、
前記基台部上に積層され、第２の貫通穴が形成されるとともに、前記外箱の内壁面との間で空間部を画定するような外形を有する板状の第２保持部と、
前記第２保持部上に積層され、第１の貫通穴が形成されるとともに、前記外箱の内壁面との間で空間部を画定するような外形を有する板状の第１保持部と、を有しており、
前記第１保持部と第２保持部とは、一方の辺同士が少なくとも一部連結され、
前記第１保持部と基台部とは、前記一方の辺とは反対側の他方の辺同士が少なくとも一部連結されており、
前記凹部は、前記第１及び第２の貫通穴により構成されている、請求項１に記載のロール紙の梱包構造。
【請求項３】
前記下部保持部材及び上部保持部材の少なくとも一方の凹部を覆うように配置された、衝撃を緩和させるための緩衝シートをさらに備えた、請求項１または２に記載のロール紙の梱包構造。 
【発明の詳細な説明】
【技術分野】
【０００１】
本発明は、ロール紙の梱包構造に関するものである。
【背景技術】
【０００２】
従来より、業務用プリンタなどの記録装置にはロール紙が一般的に用いられているが、このロール紙を搬送する際、ロール紙をそのまま段ボール箱に入れた状態で搬送すれば、ロール紙が搬送中に段ボール箱内で移動して、その外周面やエッジ部分に傷が付いてしまう。このため、通常は、段ボール箱内に保持部材をロール紙と一緒に梱包し、この保持部材によってロール紙が段ボール箱内で移動しないように保持している。例えば、特許文献１には、巻芯を有するロール紙の両端に軸受け部材を設置し、各軸受け部材の軸受け部をロール紙の巻芯の内部に挿入することによって、ロール紙を支持している。
【特許文献１】特開平７−６９３４１号公報
【発明の開示】
【発明が解決しようとする課題】
【０００３】
しかしながら、コスト削減や省資源化などの要求から、巻芯を省略したコアレスタイプのロール紙が普及し始めている。このようなコアレスタイプのロール紙は、軸部が巻芯を有さず中空状態となっているため、その軸部の強度は巻芯を有するタイプのロール紙に比べて低い。このため、上述したような方法で軸受け部材の軸受け部をコアレスタイプのロール紙の軸部に挿入しても、その強度が低いためにロール紙を十分に保持することができないといった問題がある。
【０００４】
そこで、本発明は、巻芯を有さないロール紙であっても確実に保持することのできる、ロール紙の梱包構造を提供することを課題とする。
【課題を解決するための手段】
【０００５】
本発明に係るロール紙の梱包構造は、上記課題を解決するためになされたものであり、巻芯を有さないロール紙を梱包するための構造であって、ロール紙を収納するための外箱と、ロール紙の外径と合致するような内径を有する凹部が形成され、前記外箱内に嵌合するような外形を有する下部保持部材及び上部保持部材と、を備え、前記下部保持部材は、前記凹部を上方に向けて前記外箱内に設置されており、前記上部保持部材は、前記凹部を下方に向けて、前記下部保持部材の上方において前記外箱内に設置されており、前記下部保持部材及び上部保持部材の少なくとも一方は、前記凹部と前記外箱の内壁面との間に空間部が形成されるような外形を有している。 
【０００６】
この構成によれば、下部保持部材及び上部保持部材は、外箱内に嵌合するような外形を有しているため、外箱内に設置すると、外箱内に嵌合されて固定される。また、下部保持部材及び上部保持部材に、ロール紙の外形と合致するような内径を有する凹部が形成されている。そして、この各凹部が対向するように下部保持部材及び上部保持部材が外箱内に設置されている。このため、ロール紙の下端部を下部保持部材の凹部内に嵌合させて保持するとともに、ロール紙の上端部を上部保持部材の凹部内に嵌合させて保持することができる。このように、外箱内に嵌合されて固定された下部保持部材及び上部保持部材によってロール紙の外周面を保持することができるので、巻芯を有さないロール紙であっても確実に保持することができる。なお、上記「ロール紙の外径と合致するような内径」とは、ロール紙の外径と凹部の内径とが全く同一の寸法である必要はなく、凹部内にロール紙を挿入した際にロール紙が凹部によってしっかりと保持されるような寸法であればよい。例えば、各保持部材の凹部の内径が１〜２ｍｍ、好ましくは１〜１．５mm程度ロール紙の外径よりも大きくすることができる。また、各保持部材の凹部によってロール紙の各端部を保持する際に、凹部とロール紙との間に緩衝シートなどを介在させることがあるが、この場合は、凹部が、緩衝シートを介してロール紙をしっかりと保持できるような寸法であればよい。
【０００７】
また、このように、保持部材と外箱内壁面との間に空間部を設けることで、落下などによって衝撃が加わってもその空間部によって衝撃を吸収し、ロール紙への衝撃を緩和することができる。
【０００８】
また、上記下部保持部材及び上部受け部材の少なくとも一方は、外箱内に嵌合するように形成された板状の基台部と、基台部上に積層され、第２の貫通穴が形成されるとともに、外箱の内壁面との間で空間部を画定するような外形を有する板状の第２保持部と、第２保持部上に積層され、第１の貫通穴が形成されるとともに、外箱の内壁面との間で空間部を画定するような外形を有する板状の第１保持部と、を有しており、第１保持部と第２保持部とは、一方の辺同士が少なくとも一部連結され、第１保持部と基台部とは、一方の辺とは反対側の他方の辺同士が少なくとも一部連結されており、上記凹部は、前記第１及び第２の貫通穴により構成されていることが好ましい。
【０００９】
このように、第１保持部の他方の辺が第２保持部を介して基台部に接続されているため、第１保持部は基台部に対して適度に移動することができる。このため、搬送時の揺れに対して柔軟に対応することが可能となり、ロール紙への衝撃をより緩和することができる。
【００１０】
また、上記下部保持部材及び上部保持部材の少なくとも一方の凹部を覆うように配置された、衝撃を緩和させるための緩衝シートをさらに備えていることが好ましい。このように、保持部材の凹部を覆うように緩衝シートを配置することで、ロール紙を凹部内に嵌合させるとロール紙と凹部との間に緩衝シートが介在することになるので、この結果、ロール紙への衝撃をより緩和することができる。
【００１１】
また、上記上部保持部材の上方において、外箱内に嵌合するように設置された収納箱がさらに備えられていてもよい。この収納箱内には例えばインクリボンなどを収納することができる。通常、外箱が落下するときはその底面から先に落下するため、外箱の下部に一番大きな衝撃が加わる。しかし、収納箱は外箱内の上部に設置されているため落下時の衝撃の影響が少なく、衝撃に弱いインクリボンなどを衝撃から守ることができる。
【００１２】
また、上記収納箱は、被収納物を収納するための箱本体部と、箱本体部の側面から外方に突出した羽根部とを有していることが好ましい。このように、被収納物が収納された箱本体部は、羽根部を介して外箱に設置されているため、外箱に衝撃が加わった際、羽根部によってその衝撃を吸収し、被収納物が収納された箱本体部を衝撃から確実に保護することができる。
【００１３】
また、被収納物を包装するための包装シートをさらに備え、包装シートは、被収納物を包装して残った部分を丸めた状態にして収納箱内に収納されていることが好ましい。このように被収納物を包装シートによって包装することで被収納物を衝撃から確実に保護することができる。また、余った包装シートを丸めた状態にして収納箱内に収納しているため、この丸められた包装シートによって衝撃を吸収することができ、より確実に被収納物を衝撃から保護することができる。
【発明の効果】
【００１４】
本発明によれば、巻芯を有さないロール紙であっても確実に保持することのできる、ロール紙の梱包構造を提供することができる。
【発明を実施するための最良の形態】
【００１５】
以下、本発明に係る梱包構造の実施形態について図面を参照しつつ説明する。図１は、本実施形態に係るロール紙の梱包構造を示す正面断面図、図２は、本実施形態に係る下部保持部材の折り畳み前（ａ）から折り畳み後（ｃ）までを示す平面図、図３は、本実施形態に係る下部保持部材の斜視図である。
【００１６】
図１に示すように、梱包構造１は、直方体状の外箱２を備えており、この外箱２内には、底面側から順に、ロール紙Ｒの下端部を保持するための下部保持部材３、ロール紙Ｒの上端部を保持するための上部保持部材４，インクリボンＴを収納するための収納箱５が設置されている。そして、ロール紙Ｒが、下部保持部材３と上部保持部材４との間に収納されている。このロール紙Ｒは、円柱状であって、その軸方向を上下方向に向けて収納されている。また、ロール紙Ｒの軸部分は、巻芯を有しておらず、断面円形状の空洞部Ｒ１が軸方向に延びるように形成されている。
【００１７】
上記梱包構造１を構成する各部材の詳細について説明すると、まず、外箱２は、段ボールなどによって直方体状に構成され、いわゆる段ボール箱として構成されており、その上面はフラップ２１ａを折り曲げることによって開閉可能であり、底面はフラップ２１ｂを折り曲げることによって開閉可能である。なお、図１のようにロール紙Ｒを梱包した状態では、上面及び底面のフラップ部２１ａ、２１ｂはともに閉められており、ガムテープなどの接着テープを貼ることによってその閉められた状態で保持されている。
【００１８】
この閉鎖された外箱２の底面に、下部保持部材３が凹部３１を上方に向けて設置されている。この下部保持部材３は、図２及び図３に示すように、外箱２の底面の形状とほぼ合致するような外形を有する基台部３２と、第１の貫通穴３１１が形成された第１保持部３３と、第２の貫通穴３１２が形成された第２保持部３４と、によって構成されている。この第１の貫通穴３１１と第２の貫通穴３１２は同一の形状となっている。また、基台部３２の中心部には第１及び第２の貫通穴よりも十分に小さい第３の貫通穴３２３が形成されている。この貫通穴３２３は作業者の指が入る程度の大きさに形成されているため、この貫通穴３２３を利用して作業性良く下部保持部材３を外箱２内から取り出すことができる。
【００１９】
図２（ａ）に示すように、基台部３２、第１及び第２保持部３３，３４は一体的に形成されており、例えば、一枚の段ボールによって形成することができる。第１保持部３３と第２保持部３４との間には、裏まで貫通しないように切込みを入れることで切込み線３５が形成されており、これにより第２保持部３４が第１保持部３３に対して山折りできるようになっている。また、第１保持部３３と基台部３２との間には、裏まで貫通するような切込みを入れることでＩ字状の切込み線３６が形成されている。このＩ字状の切込み線３６は、縦方向に延びる縦切込み線３６１と、縦切込み線３６１の上端及び下端と連結して横方向に延びる横切込み線３６２ａ、３６２ｂとから構成されている。そして、この上端の横切込み線３６２ａの左端及び右端からそれぞれ下部保持部材３の上端まで延びる折り曲げ線３７ａが形成されており、また、下端の横切込み線３６２ｂの左端及び右端からそれぞれ下部保持部材３の下端まで延びる折り曲げ線３７ｂが形成されている。このようにＩ字状の切込み線３６及び折り曲げ線３７が形成されていることによって、第１保持部３３は基台部３２に対して山折りできるようになっている。
【００２０】
このように一枚の段ボールから形成された下部保持部材３を、本実施形態の梱包構造１で使用する形態へと折り曲げる手順について説明すると、図２（ａ）にあるような折り曲げていない状態から、まず第１の保持部材３３を基台部３４に対して谷折りする（図２（ｂ））。次に、図２（ｂ）の状態から、第２の保持部材３３に対して、第１の保持部材３２を谷折りする（図２（ｃ））。このように、下部保持部材３を外箱２内に設置する際は、図３に示すように、下部保持部材３は、基台部３２の上に第１の保持部３３が積層され、この第１の保持部３３の上に第２の保持部３４が積層された状態となっている。そして、このように積層された状態では、第１の貫通穴３１１上に第２の貫通穴３１２が重なり、この第１の貫通穴３１１と第２の貫通穴３１２によって、凹部３１が構成されている。なお、後述する上部保持部材４も上述した下部保持部材３と同一の構成をとっている。
【００２１】
図１に戻って説明を続けると、以上のように構成された下部保持部材３が凹部３１を上方に向けて外箱２の底面に設置されており、この凹部３１を覆うように緩衝シート７が配置されている。この緩衝シート７の材質は、特に限定されるものではないが、ポリエチレンや発泡ポリエチレン等を使用することが好ましい。ポリエチレンとしてはミラーマット、発泡ポリエチレンとしてはエアーキャップ（登録商標）等を使用することが好ましい。そして、緩衝シート７が覆われた凹部３１内に、ロール紙Ｒの下端部を挿入する。緩衝シート７を介してロール紙Ｒを凹部３１内に挿入した状態では、ロール紙Ｒは、凹部３１内に嵌合しており、凹部３１によって保持されている。
【００２２】
そして、ロール紙Ｒ上には、上部保持部材４が設置されており、上部保持部材４の凹部４１内にロール紙Ｒの上端部が挿入している。なお、下部保持部材３の場合と同様に、上部保持部材４の凹部４１も緩衝シート７を介してロール紙Ｒの上端部が挿入されており、この状態でロール紙Ｒの上端は、凹部４１内に嵌合され、凹部４１によって保持されている。この上部保持部材４は、図４及び図５に示したように、上述した下部保持部材３と同一の構成を取っており、基台部４２と、第１の貫通穴４１１が形成された第１保持部４３と、第２の貫通穴４１２が形成された第２保持部４４とによって構成されている。また、第１の貫通穴４１１と第２の貫通穴４１２とによって凹部４１が構成されている。
【００２３】
上部保持部材４の上方には、インクリボンＴ（被収納物）を収納するための収納箱５が設置されている。図６及び図７に示すように、収納箱５は、内部にインクリボンＴを収納できるように直方体状に形成された箱本体部５１と、箱本体部５１の側面から外方に延びる４つの羽根部５２とから構成されており、図１の左右方向には羽根部５２によって外箱２内に嵌合しており、図１の奥行き方向には箱本体部５１によって外箱２内に嵌合している。この箱本体部５１内にはインクリボンＴが包装シート８によって包装された状態で収納されている。より詳細には、図８に示すように、インクリボンＴは、供給ロール部Ｔ１と巻取ロール部Ｔ２とから構成されている。この供給ロール部Ｔ１と巻取ロール部Ｔ２との間には緩衝シート７が介在されており、この状態で、包装シート８がインクリボンＴ全体を覆っている。なお、この包装シート８は、インクリボンＴを保護できるような材質であれば特に限定されるものではないが、好ましくは、ポリエチレンや発泡ポリエチレン等を使用することが好ましい。ポリエチレンとしてはミラーマット、発泡ポリエチレンとしてはエアーキャップ（登録商標）等を使用することができる。また、この収納箱５は、本実施形態ではインクリボンを収納するために使用しているが、特にインクリボンを収納することに限定されるものではなく、その他のものを収納してもよい。
【００２４】
次に、上述したロール紙の梱包構造１を使用した梱包方法について図面を参照しつつ説明する。まず、図１に示すように、外箱２を準備し、フラップ２１ｂを閉じてガムテープを貼ることによって底面を形成する。そして、下部保持部材３を凹部３１が上方を向くように外箱２内に挿入し、下部保持部材３の下面が外箱２の底面と接するまで下部保持部材３を押し込む。なお、下部保持部材３の平面視の外形は、外箱２の底面の形状とほぼ同じ形状となっているため、下部保持部材３は外箱２内に嵌合されて固定される。
【００２５】
続いて、緩衝シート７を下部保持部材３の凹部３１上を覆うように配置して、その緩衝シート７の上からロール紙Ｒの下端部を凹部３１内に挿入させる。そして、ロール紙Ｒの上端に緩衝シート７を被せ、凹部４１が下方を向くようにして上部保持部材４を外箱２内に挿入する。上部保持部材４の凹部４１内にロール紙Ｒの上端が挿入して保持されるまで、上部保持部材４を外箱２内に押し込む。なお、上部保持部材４の平面視の外形は、外箱２の横断面形状とほぼ同じ形状となっているため、上部保持部材４は外箱２内に嵌合されて固定される。
【００２６】
さらに続いて、インクリボンＴを、包装シート８で覆うように包装して、収納箱５の箱本体部５１内に収納する。そして、このような状態でインクリボンＴが収納された収納箱５を外箱２内に収納し、収納箱５の下面が上部保持部材４の上面に接触するまで収納箱５を押し込む。この状態で収納箱５は、箱本体部５１及び４本の羽根部５２によって外箱２内に嵌合されるため、外箱２内に固定される。そして、最後に外箱２のフラップ２１ａを閉じてガムテープを貼ることで、外箱２の上面を閉鎖する。
【００２７】
以上のように、本実施形態によれば、ロール紙Ｒの下端の外周面を下部保持部材３の凹部３１によって保持し、ロール紙Ｒの上端の外周面を上部保持部材４の凹部４１によって保持することができる。このため、巻芯を有さないコアレスタイプのロール紙Ｒであっても、外箱２内で確実に保持することができる。
【００２８】
以上、本発明の実施形態について説明したが、本発明はこれらに限定されるものではなく、本発明の趣旨を逸脱しない限りにおいて種々の変更が可能である。例えば、下部保持部材３及び上部保持部材４の少なくとも一方を以下のように構成することができる。すなわち、図９及び図１０に示すように、下部保持部材３は、外箱２の横断面形状と合致するような外形を有する基台部３２と、第１の貫通穴３１１が形成された第１保持部３３と、第２の貫通穴３１２が形成された第２保持部３４と、から構成されている。この第１の貫通穴３１１と第２の貫通穴３１２とは同一の形状となっている。
【００２９】
図９（ａ）に示すように、基台部３２、第１及び第２保持部３３，３４は一体的に形成されており、例えば一枚の段ボールによって形成することができる。第１保持部３３と第２保持部３４との間には、鼓状の打ち抜き穴３８ａが形成されている。また、下部保持部材３の上端部には、裏まで貫通するような切込みを入れることで逆Ｔ字状の切込み線３６ａが形成され、下部保持部材３の下端部には、裏まで貫通するような切込みが入ったＴ字形状の切込み線３６ｂが形成されている。そして、逆Ｔ又はＴ字状の切込み線３６ａ、３６ｂにおける横線部３６１ａ，３６１ｂの右端及び左端から鼓状の打ち抜き穴３８ａまで延びるように折り曲げ線３７ａ、３７ｂが形成されている。この横線部３６１ａ、折り曲げ線３７ａ、及び打ち抜き穴３８ａによって第１の連結部３００ａが画定されており、同様に、横線部３６１ｂ、折り曲げ線３７ｂ及び打ち抜き穴３８ａによって第２の連結部３００ｂが画定されている。これら第１の連結部３００ａ、３００ｂの幅は、第１保持部３３と第２保持部３４の厚さを合計した寸法とほぼ同一にすることが好ましい。そして、逆Ｔ又はＴ字状の切込み線３６ａ，３６ｂと折り曲げ線３７ａ、３７ｂとによって、第２保持部３４が第１保持部３３に対して谷折りできるようになっている。
【００３０】
また、第１保持部３３と基台部３２との間には、上記鼓状の打ち抜き穴３８ａを縦に半分に割った形状の打ち抜き穴３８ｂが形成されており、この打ち抜き穴３８ｂの右上端及び右下端から右方向に切込み線３６ｅ、３６ｆが形成されている。この切込み線３６ｅ、３６ｆは裏まで貫通するように形成されている。また、上述したような逆ＴまたはＴ字状の切込み線３６ｃ、３６ｄが下部保持部材３の上端部及び下端部にそれぞれ形成されている。そして、この逆ＴまたはＴ字状の切込み線３６ｃ、３６ｄにおける横線部３６１ｃ、３６１ｄの左端から打ち抜き穴３８ｂに向かって折り曲げ線３７ｃ、３７ｄが形成されるとともに、横線部３６１ｃ、３６１ｄの右端から切込み線３６ｅ、３６ｆの右端に向かって折り曲げ線３７ｃ、３７ｄが形成されている。この横線部３６１ｃ、切込み線３６ｅ、折り曲げ線３７ｃ及び打ち抜き穴３８ｂによって第２の連結部３０１ａが画定されおり、同様に、横線部３６１ｄ、切込み線３６ｆ、折り曲げ線３７ｄ及び打ち抜き穴３８ｂによって第２の連結部３０１ｂが画定されている。これら第２の連結部３０１ａ、３０１ｂの幅は、第１保持部３３と第２保持部３４と基台部３２との厚さを合計した寸法とほぼ同一にすることが好ましい。そして、逆Ｔ又はＴ字状の切込み線３６ｃ、３６ｄ及び折り曲げ線３７ｃ、３７ｄによって、第１保持部３３は基台部３２に対して谷折りできるようになっている。
【００３１】
このように一枚の段ボールから形成された下部保持部材３を、外箱２内に設置する際の下部保持部材３の形態へと折り曲げる手順について説明すると、図９（ａ）にあるように折り曲げていない状態から、まず、第２保持部３４を第１保持部３３に対して谷折りする（図９（ｂ））。次に、図９（ｂ）の状態から、基台部３２に対して、第２保持部３４が上に積層された状態の第１保持部３３を谷折りする（図９（ｃ））。このように折り曲げられた、外箱２内に設置する際の下部保持部３の形態は、図１０に示すように、基台部３２の上に第２保持部３４が積層され、さらにその第２保持部３４の上に第１保持部３３が積層した形態となっている。そして、このように各部材が積層された状態で、第１の貫通孔３１１と第２の貫通孔３１２が重なり、この第１及び第２の貫通孔３１１，３１２で、上記凹部３１を構成している。また、第１保持部３３と基台部３２とは第２の連結部３０１ａ、３０１ｂによって連結されており、第１保持部３３と第２保持部３４とは第１の連結部３００ａ、３００ｂによって連結されている。
【００３２】
下部保持部材３は、上述したように折り曲げられた状態で外箱２内に設置されるが、第１保持部３３及び第２保持部３４が外箱２の内壁面との間で空間部Ｓを画定している（図１１）。このように空間部Ｓがロール紙Ｒを保持する凹部３１と外箱２の内壁面との間に形成されているため、搬送時に外箱２に衝撃を加えても、その衝撃が空間部Ｓによって緩和される。また、空間部Ｓが形成されていることによって、外箱２が落下した場合であっても、ロール紙Ｒを保持している凹部３１が外箱２の内壁面側に多少移動することができるため、落下時に下部保持部材３の凹部３１内壁面からロール紙Ｒに掛かる衝撃を緩和させることができる。なお、上部保持部材４も上述したような下部保持部材３と同様の形態とすることもできる。
【００３３】
また、その他にも、種々の変形が可能であり、例えば、上記実施形態では、一枚の段ボールなどを折り曲げて下部保持部材３及び上部保持部材４を形成しているが、発泡スチロールなどによって、基台部３２、第１保持部３３及び第２保持部３４が積層された状態のものを形成してもよい。
【００３４】
また、上記実施形態では、収納箱５を上部保持部材４の上方に設置しているが、収納箱５を省略し、その分だけ外箱２の高さを低くすることもできる。
【００３５】
また、上記実施形態では、下部保持部材３及び上部支持部材４を、基台部３２、第１保持部３３及び第２保持部３４から構成しているが、特にこれに限定されるものではなく、基台部３２を省略したり、第１保持部３３及び第２保持部３４のどちらか一方を省略してもよい。
【００３６】
また、上記実施形態では、包装シート８は、インクリボンＴを覆っているのみであるが、例えば図１２に示すように、一旦インクリボンＴを覆い、余った部分を丸めた状態にしインクリボンＴに隣接するような状態で収納箱５内に収納することもできる。
【図面の簡単な説明】
【００３７】
【図１】本発明に係るロール紙の梱包構造の実施形態を示す正面断面図である。
【図２】本実施形態に係る下部保持部材の折り畳み前（ａ）から折り畳み後（ｂ）までを示した平面図である。
【図３】本実施形態に係る下部保持部材の斜視図である。
【図４】本実施形態に係る上部保持部材の折り畳み前を示した展開図である。
【図５】本実施形態に係る上部保持部材の斜視図である。
【図６】本実施形態に係る収納箱を示す平面図である。
【図７】本実施形態に係る収納箱を示す斜視図である。
【図８】本実施形態に係る包装シートによって包装されたインクリボンが収納された収納箱の正面断面図である。
【図９】他の実施形態に係る下部保持部材及び上部保持部材の折り畳み前（ａ）から折り畳み後（ｂ）までを示した平面図である。
【図１０】他の実施形態に係る下部保持部材及び上部保持部材の斜視図である。
【図１１】他の実施形態に係る下部保持部材及び上部保持部材の斜視図である。
【図１２】他の実施形態に係る包装シートによって包装されたインクリボンが収納された収納箱の正面断面図である。
【符号の説明】
【００３８】
１  梱包構造
２  外箱
３  下部保持部材
３１  凹部
３１１  第１の貫通孔
３１２  第２の貫通孔
３２  基台部
３３  第１保持部
３４  第２保持部
４  上部保持部材
４１  凹部
４１１  第１の貫通孔
４１２  第２の貫通孔
４２  基台部
４３  第１保持部
４４  第２保持部
７  緩衝シート
Ｒ  ロール紙
Ｓ  空間部
【図１】
0005268306.tif 000002
【図２】
0005268306.tif 000003
【図３】
0005268306.tif 000004
【図４】
0005268306.tif 000005
【図５】
0005268306.tif 000006
【図６】
0005268306.tif 000007
【図７】
0005268306.tif 000008
【図８】
0005268306.tif 000009
【図９】
0005268306.tif 000010
【図１０】
0005268306.tif 000011
【図１１】
0005268306.tif 000012
【図１２】
0005268306.tif 000013